(57)【要約】【課題】簡易な構造で、ねじ体の特定方向の回転を確実に防止する。【解決手段】雄ねじ体１０とワッシャ５０によって被締結部材８０を締結する構造であり、雄ねじ体１０には、ねじ体側座部２２が、ワッシャ５０側には第一受部６０と第二受部７０が、被締結部材８０には、部材側座部８２が形成される。第一受部６０とねじ体側座部２２の間には第一係合機構Ａが形成され、少なくともねじ体側座部２２が締結状態の雄ねじ体１０を緩める方向に回転しようとすると、第一受部６０とねじ体側座部２２が互いに係合してそれらの相対回転を防止し、部材側座部８２と第二受部７０の間には第二係合機構Ｂが形成され、少なくともワッシャ５０が緩まる方向に回転しようとすると、第一受部７０と部材側座部８２が互いに係合してそれらの相対回転を防止し、これら第一係合機構Ａと第二係合機構Ｂの作用によって雄ねじ体１０と被締結部材８０との緩みを防止する。【選択図】図１
2014105862.tif 000002
【特許請求の範囲】
【請求項１】
ねじ山を有するねじ体と、ワッシャとを備えることで、前記ねじ体及びワッシャによって被締結部材を締結する構造であり、
前記ねじ体は、前記ワッシャと対向するねじ体側座部を有して成り、
前記ワッシャは、前記ねじ体側座部と対向する第一受部及び前記被締結部材と対向する第二受部を有して成り、
前記被締結部材は、前記第二受部と対向する部材側座部を有して成り、
前記ねじ体側座部と前記第一受部の間には、前記ねじ体側座部に対して特定方向の回転力が作用しても互いに係合する状態が保持される第一係合機構が構成され、
前記部材側座部と前記第二受部の間には、前記ワッシャに対して前記特定方向の回転力が作用しても互いに係合する状態が保持される第二係合機構が構成され、締結状態の前記ねじ体の特定方向への回転を防止することを特徴とするねじ体の逆回転防止構造。
【請求項２】
前記第一係合機構は、前記ねじ体側座部にねじ体側凹凸が形成され、且つ、前記第一受部に前記ねじ体側凹凸と係合する第一受部側凹凸が形成され、前記係合状態を得ることを特徴とする、
請求項１に記載のねじ体の逆回転防止構造。
【請求項３】
前記ねじ体側凹凸は、周方向に設けられる鋸刃形状であることを特徴とする、
請求項２に記載のねじ体の逆回転防止構造。
【請求項４】
前記ねじ体側凹凸は、周方向に設けられる山形又は波型形状であることを特徴とする、
請求項２に記載のねじ体の逆回転防止構造。
【請求項５】
前記ねじ体側凹凸は、エンボス形状であることを特徴とする、
請求項２に記載のねじ体の逆回転防止構造。
【請求項６】
前記ねじ体側凹凸は、渦巻き形状の溝又は山であることを特徴とする、
請求項２に記載のねじ体の逆回転防止構造。
【請求項７】
前記第一受部側凹凸は、周方向に設けられる鋸刃形状であることを特徴とする、
請求項２乃至６のいずれかに記載のねじ体の逆回転防止構造。
【請求項８】
前記第一受部側凹凸は、周方向に設けられる山形又は波型形状であることを特徴とする、
請求項２乃至６のいずれかに記載のねじ体の逆回転防止構造。
【請求項９】
前記第一受部側凹凸は、エンボス形状であることを特徴とする、
請求項２乃至６のいずれかに記載のねじ体の逆回転防止構造。
【請求項１０】
前記第一受部側凹凸は、渦巻き形状の溝又は山であることを特徴とする、
請求項２乃至６のいずれかに記載のねじ体の逆回転防止構造。
【請求項１１】
前記ねじ体側座部には、半径方向に傾斜するねじ体側テーパ面が形成されることを特徴とする、
請求項１乃至１０のいずれかに記載のねじ体の逆回転防止構造。
【請求項１２】
前記第一受部には、半径方向に傾斜するワッシャ側テーパ面が形成されることを特徴とする、
請求項１乃至１１のいずれかに記載のねじ体の逆回転防止構造。
【請求項１３】
前記第一係合機構は、前記ねじ体側座部と前記第一受部の距離が縮む程、前記緩み方向の係合強度が高まるように構成されることを特徴とする、
請求項１乃至１２のいずれかに記載のねじ体の逆回転防止構造。
【請求項１４】
前記第一係合機構は、前記ねじ体側座部と前記第一受部の間で、前記ねじ体側座部の締め方向の相対回転を許容することを特徴とする、
請求項１乃至１３のいずれかに記載のねじ体の逆回転防止構造。
【請求項１５】
前記ワッシャは、ねじ体の軸方向に弾性変形可能であることを特徴とする、
請求項１乃至１４のいずれかに記載のねじ体の逆回転防止構造。
【請求項１６】
前記部材側座部は、前記第二受部を収容し得る収容凹部を備えることを特徴とする、
請求項１乃至１５のいずれかに記載のねじ体の逆回転防止構造。
【請求項１７】
前記第二係合機構は、前記第二受部と前記収容凹部が嵌り合うことで前記係合状態を得ることを特徴とする、
請求項１６に記載のねじ体の逆回転防止構造。
【請求項１８】
前記収容凹部の内壁は、前記ねじ体の軸からの距離が周方向に沿って変動すると共に、前記第二受部の外壁は、前記ねじ体の軸からの距離が周方向に沿って変動することにより、前記収容凹部の内壁と前記第二受部の外壁の当接によって前記係合状態を得ることを特徴とする、
請求項１６又は１７に記載のねじ体の逆回転防止構造。
【請求項１９】
前記ねじ体の締結力が、前記収容凹部の底面と前記第二受部との当接面を介して、前記被締結部材に伝達することを特徴とする、
請求項１６又は１７に記載のねじ体の逆回転防止構造。
【請求項２０】
前記部材側座部は、前記ねじ体の軸方向に段設された部材側段部を有し、
前記第二受部には前記部材側段部と係合するワッシャ側段部が形成されることを特徴とする、
請求項１乃至１９のいずれかに記載のねじ体の逆回転防止構造。
【発明の詳細な説明】
【技術分野】
【０００１】
本発明は、締結したねじ体の逆回転を防止する逆回転防止構造に関する。
【背景技術】
【０００２】
従来、様々な場面で、被締結物を締結するためにねじ体が用いられている。このねじ体は、柱状の外周に螺線状の溝が形成される雄ねじ体と、筒部材の内周に螺線状の溝が形成される雌ねじ体を螺合させる構造となっている。
【０００３】
使用時は、被締結部材に形成される孔に雄ねじ体を挿入してから、雌ねじ体を螺合させる。結果、雄ねじ体の頭部と雌ねじ体の筒部材によって被締結物が挟み込まれる。このような締結用のねじ体を簡便に使用出来るように工夫されたものとしては、雄ねじ体の一端に六角柱状の頭部を形成して成る所謂ボルトと、外周面が六角形柱状に形成されるナットの組み合わせから成るものがある。他にも、頭部が六角形状ではなく、端面にすり割り（マイナス穴）や十字穴（プラス穴）が形成された、いわゆる小ねじなども広く用いられている。
【０００４】
また、ねじ体の締結時に、雄ねじ体の周囲にワッシャ（座金）を挿入することが行われている。このワッシャは、締結時に被締結物を座屈や傷等から護ったり、逆に、被締結物に積極的に押し当てることによって、ねじ体の緩みを抑制したりする。
【０００５】
例えば、ワッシャには、一般的なリング形状の「平ワッシャ」の他、内周や外周に半径方向に延びる突起を有し、被締結部材やねじ体と係合して緩みを防止する「舌付きワッシャ」、軸方向に折れ曲がった短い爪が被締結物と係合する「爪付きワッシャ」、弾性変形によってねじ体の緩みを防止する「ばねワッシャ」、締結面に食い込ませるための歯を周囲に備えた「歯付きワッシャ」などが存在する。
【先行技術文献】
【非特許文献】
【０００６】
【非特許文献１】日本工業規格  ＪＩＳ  １２５１  ばね座金
【発明の概要】
【発明が解決しようとする課題】
【０００７】
しかしながら、従来のワッシャは、ねじ体との間の緩み防止構造に関して、摩擦や食い込みを期待する程度であるため、よく知られている通りその効果は不十分なものであった。従って、振動等が激しい環境では、ワッシャを用いたとしても、ねじ体が徐々に緩んでしまうという問題があった。
【０００８】
本発明は、上記問題点に鑑みて本発明者の鋭意研究により成されたものであり、ワッシャを有効活用することによって、簡易な構造によって、高度にねじ体の逆回転防止、即ち、緩み止めを行うねじ体の緩み防止構造を提供することを目的とする。
【課題を解決するための手段】
【０００９】
即ち、上記目的を達成する本発明は、ねじ山を有するねじ体と、ワッシャと、前記ねじ体及びワッシャによって締結される被締結部材を有し、前記ねじ体は、前記ワッシャと対向するねじ体側座部を有して成り、前記ワッシャは、前記ねじ体側座部と対向する第一受部及び前記被締結部材と対向する第二受部を有して成り、前記被締結部材は、前記第二受部と対向する部材側座部を有して成り、前記ねじ体側座部と前記第一受部の間には、前記ねじ体側座部に対して緩み方向の回転力が作用しても互いに係合する状態が保持される第一係合機構が構成され、前記部材側座部と前記第二受部の間には、前記ワッシャに対して前記緩み方向の回転力が作用しても互いに係合する状態が保持される第二係合機構が構成され、締結状体の前記ねじ体を特定方向、即ち、逆回転させること、例えば、前記ねじ体を緩める方向へ回転させることを防止することを特徴とするねじ体の逆回転防止構造である。
【００１０】
上記ねじ体の逆回転防止構造に関連して、前記第一係合機構は、前記ねじ体側座部にねじ体側凹凸が形成され、且つ、前記第一受部に前記ねじ体側凹凸と係合する第一受部側凹凸が形成され、前記係合状態を得ることを特徴とする。
【００１１】
上記ねじ体の逆回転防止構造に関連して、前記ねじ体側凹凸は、周方向に設けられる鋸刃形状であることを特徴とする。
【００１２】
上記ねじ体の逆回転防止構造に関連して、前記ねじ体側凹凸は、周方向に設けられる山形又は波型形状であることを特徴とする。
【００１３】
上記ねじ体の逆回転防止構造に関連して、前記ねじ体側凹凸は、エンボス形状であることを特徴とする。
【００１４】
上記ねじ体の逆回転防止構造に関連して、前記ねじ体側凹凸は、渦巻き形状の溝又は山であることを特徴とする。
【００１５】
上記ねじ体の逆回転防止構造に関連して、前記第一受部側凹凸は、周方向に設けられる鋸刃形状であることを特徴とする。
【００１６】
上記ねじ体の逆回転防止構造に関連して、前記第一受部側凹凸は、周方向に設けられる山形又は波型形状であることを特徴とする。
【００１７】
上記ねじ体の逆回転防止構造に関連して、前記第一受部側凹凸は、エンボス形状であることを特徴とする。
【００１８】
上記ねじ体の逆回転防止構造に関連して、前記第一受部側凹凸は、渦巻き形状の溝又は山であることを特徴とする。
【００１９】
上記ねじ体の逆回転防止構造に関連して、前記ねじ体側座部には、半径方向に傾斜するねじ体側テーパ面が形成されることを特徴とする。
【００２０】
上記ねじ体の逆回転防止構造に関連して、前記第一受部には、半径方向に傾斜するワッシャ側テーパ面が形成されることを特徴とする。
【００２１】
上記ねじ体の逆回転防止構造に関連して、前記第一係合機構は、前記ねじ体側座部と前記第一受部の距離が縮む程、前記緩み方向の係合強度が高まるように構成されることを特徴とする。
【００２２】
上記ねじ体の逆回転防止構造に関連して、前記第一係合機構は、前記ねじ体側座部と前記第一受部の間で、前記ねじ体側座部の締め方向の相対回転を許容することを特徴とする。
【００２３】
上記ねじ体の逆回転防止構造に関連して、前記ワッシャは、ねじ体の軸方向に弾性変形可能であることを特徴とする。
【００２４】
上記ねじ体の逆回転防止構造に関連して、前記部材側座部は、前記第二受部を収容し得る収容凹部を備えることを特徴とする。
【００２５】
上記ねじ体の逆回転防止構造に関連して、前記第二係合機構は、前記第二受部と前記収容凹部が嵌り合うことで前記係合状態を得ることを特徴とする。
【００２６】
上記ねじ体の逆回転防止構造に関連して、前記収容凹部の内壁は、前記ねじ体の軸からの距離が周方向に沿って変動すると共に、前記第二受部の外壁は、前記ねじ体の軸からの距離が周方向に沿って変動することを特徴とする。
【００２７】
上記ねじ体の逆回転防止構造に関連して、前記収容凹部の内壁及び前記第二受部の外壁が、前記ねじ体の軸に対して偏心した円形状であることを特徴とする。
【００２８】
上記ねじ体の逆回転防止構造に関連して、前記部材側座部は、前記ねじ体の軸方向に段設された部材側段部を有し、前記第二受部には前記部材側段部と係合するワッシャ側段部が形成されることを特徴とする。
【発明の効果】
【００２９】
本発明によれば、簡単な構造でありながらも、ねじ体の逆回転防止、例えば、ねじ体を緩ませる方向の回転を防止することでねじ体の緩み止めを確実に行う事が出来るようになる。
【図面の簡単な説明】
【００３０】
【図１】本発明の第一実施形態のねじ体の逆回転防止構造を示す側面部分断面図である。
【図２】同逆回転防止構造で用いられる雄ねじ体の側面部分断面図及び底面図である。
【図３】同逆回転防止構造で用いられるワッシャの上面図及び側面部分断面図である。
【図４】（Ａ）は同ねじ体の逆回転防止構造の鋸刃の作用を示す概念図であり、（Ｂ）〜（Ｄ）は鋸刃の変形例を示す概念図である。
【図５】（Ａ）〜（Ｃ）は、同逆回転防止構造の鋸刃の変形例を示す概念図である。
【図６】（Ａ）（Ｂ）は同逆回転防止構造の雄ねじ体の応用例を締めず側面図である。
【図７】（Ａ）（Ｂ）は同逆回転防止構造の応用例で用いられるワッシャの上面図及び側面部分断面図である。
【図８】第二実施形態に係るねじ体の逆回転防止構造の締結状態を示す上面図及び側面部分断面図である。
【図９】（Ａ）は同逆回転防止構造で用いられるワッシャの上面図及び側面部分断面図であり、（Ｂ）は同逆回転防止構造の開放作業を示す側面部分断面図である。
【図１０】（Ａ）は同逆回転防止構造の応用例で用いられるワッシャの開放作業を示す側面部分断面図であり、（Ｂ）は同応用例で用いられるワッシャの開放作業を示す上面図及び側面部分断面図である。
【図１１】第三実施形態に係るねじ体の逆回転防止構造の、（Ａ）ワッシャの上面図及び側面部分断面図、（Ｂ）ワッシャと雄ねじ体が一体化した状態を示す側面部分断面図、（Ｃ）は締結状態を示す側面部分断面図である。
【図１２】同逆回転防止構造の応用例で用いられるワッシャの上面図及び側面部分断面図である。
【図１３】第四実施形態に係るねじ体の逆回転防止構造の、（Ａ）ワッシャの上面図及び側面部分断面図、（Ｂ）締結状態を示す側面部分断面図である。
【図１４】第一から第四実施形態の応用例に係るねじ体の逆回転防止構造の締結状態を示す（Ａ）上面図、（Ｂ）側面部分断面図である。
【図１５】本発明のねじ体の逆回転防止構造を雌ねじ体に適用した場合の締結状態を示す側面部分断面図である。
【発明を実施するための形態】
【００３１】
以下、本発明の実施の形態について図面を参照しながら詳細に説明する。
【００３２】
図１には、第一実施形態に係るねじ体の逆回転防止構造が示されている。図３の通り、ねじ体の逆回転防止構造では、雄ねじ体１０と、環状のワッシャ５０と、被締結部材８０と、基台９０を備えて構成される。基台９０には、雄ねじ体１０と螺合するための雌ねじ穴９２が形成されており、基台９０と雄ねじ体１０で挟まれることで、被締結部材８０が固定される。
【００３３】
雄ねじ体１０は、所謂ボルトであり、頭部２０と軸部３０を有する。頭部２０の下部乃至付け根に相当する部位には、ねじ体側座部２２が形成される。軸部３０には、円筒部３０ａとねじ部３０ｂとが形成される。勿論、円筒部３０ａは必須ではない。
【００３４】
ワッシャ５０の一方側（図１の上面側）には、第一受部６０が形成される。この第一受部６０は、ねじ体側座部２２と対向しており、両者の間には、第一係合機構Ａが構成される。この第一係合機構Ａは、少なくともねじ体側座部２２が、締結状態の雄ねじ体１０を緩める方向に回転しようとすると、第一受部６０とねじ体側座部２２が互いに係合して、当該回転方向に対する第一受部６０とねじ体側座部２２との相対回転を防止する。
【００３５】
ワッシャ５０の他方側（図１の下面側）には、第二受部７０が形成される。この第一受部７０は、被締結部材８０と対向する。
【００３６】
被締結部材８０には、ワッシャ５０の第二受部７０に対向する部材側座部８２が形成される。被締結部材８０の部材側座部８２と、ワッシャ５０の第二受部７０の間には、第二係合機構Ｂが構成される。この第二係合機構Ｂは、少なくともワッシャ５０が、雄ねじ体１０と共に、緩める方向に回転しようとすると、第一受部７０と部材側座部８２が互いに係合して、当該回転方向に対する第二受部７０と部材側座部８２との相対回転を防止する。
【００３７】
この第一係合機構Ａと第二係合機構Ｂの作用により、雄ねじ体１０が緩み方向に回転しようとすると、ワッシャ５０の介在によって、雄ねじ体１０と被締結部材８０の相対回転が規制される。結果、雄ねじ体１０が緩むことが防止される。
【００３８】
図２に示すように、第一係合機構Ａとして、雄ねじ体１０のねじ体側座部２２には、ねじ体側凹凸２４が形成される。ねじ体側凹凸２４は、周方向に複数連続して設けられる鋸刃形状と成っている。ねじ体側凹凸２４の各々が延びる方向、即ち、稜線が延びる方向は、雄ねじ体１０の半径方向となっている。結果、ねじ体側凹凸２４は、軸心から放射状に延びる。
【００３９】
更に、このねじ体側座部２２は、半径方向に傾斜するねじ体側テーパ面２６が形成される。このねじ体側テーパ面２６は、中心側がねじ先に近づくように傾斜しているので、結果として、ねじ先側に凸の円錐形状となる。更に好ましくは、このねじ体側テーパ面２６に、既述のねじ体側凹凸２４が形成される。
【００４０】
図３に示されるように、第一係合機構Ａとして、ワッシャ５０の第一受部６０には、ねじ体側凹凸２４と係合する第一受部側凹凸６４が形成される。第一受部側凹凸６４は、周方向に複数連続して設けられる鋸刃形状となっている。第一受部側凹凸６４の各々が延びる方向、即ち稜線が延びる方向は、雄ねじ体１０の半径方向に沿っている。結果、第一受部側凹凸６４は、ワッシャ５０の貫通穴５２の中心から放射状に延びる。
【００４１】
更に、好ましくは、この第一受部６０は、半径方向に傾斜するワッシャ側テーパ面６６が形成される。このワッシャ側テーパ面６６は、中心側がねじ先に近づくように傾斜してすり鉢状を成しているので、結果として、ねじ先側に凹の円錐形状となる。このワッシャ側テーパ面６６に、既述の第一受部側凹凸６４が形成される。
【００４２】
結果、雄ねじ体１０を締め付ける際に、第一係合機構Ａでは、ワッシャ５０のワッシャ側テーパ面６６の凹内に、ねじ体側座部２２のねじ体側テーパ面２６が進入し、ねじ体側凹凸２４と第一受部側凹凸６４が係合する。両者の鋸歯形状は、図４（Ａ）に示されるように、雄ねじ体２０が、締結方向Ｙに回転しようとすると、互いの傾斜面２４Ｙ、６４Ｙが当接して、両者の距離を軸方向に離しながら、相対スライドを許容する。一方、雄ねじ体２０が、緩み方向Ｘに回転しようとすると、互いの垂直面（傾斜が強い側の面）２４Ｘ、６４Ｘが当接して、両者の相対移動を防止する。とりわけ第一係合機構Ａは、雄ねじ体１０を締め付けることによって、ねじ体側座部２２と第一受部６０の距離が縮む程、ねじ体側凹凸２４と第一受部側凹凸６４の噛み合いが強くなり、緩み方向Ｘ側の係合強度が高められる。ここで、ねじ体側テーパ面２６の傾斜角度と、ワッシャ側テーパ面６６の傾斜角度とを互いに異ならせること、特にワッシャ側テーパ面６６の軸心からの傾斜角度をねじ体側テーパ面２６の軸心からの傾斜角度よりも狭めに設定することで、それぞれのテーパ面に形成される鋸歯のピッチに因らず、ガタ付き無く締め付けることも可能となる。
【００４３】
図３に戻って、ワッシャ５０の第二受部７０の外壁７２は、ねじの軸心からの距離が周方向に沿って変動する。具体的に、この外壁７２は、ねじの軸心（貫通孔５２の中心）に対して偏心した円形状となっている。
【００４４】
一方、被締結部材８０の部材側座部８２は、ワッシャ５０の第二受部７０を収容するための収容凹部８４を備えており、且つ、この収容凹部８４の内壁も、ねじの軸心に対して偏心した円形状となっている。なお、偏心量は、第二受部７０と収容凹部８４で同じであり、第二受部７０と収容凹部８４の直径差（余裕隙間）は、偏心量よりも小さく設定される。
【００４５】
従って、図１に示されるように、ワッシャ５０の第二受部７０が、被締結部材８０の収容凹部８４に収容されると、両者が嵌り合う結果となり、ねじの軸心を合わせた状態のままでは、両者の周方向の相対回転が規制される。即ち、この第二受部７０と収容凹部８４が第二係合機構Ｂとして作用する。
【００４６】
以上、第一実施形態のねじ体の逆回転防止構造によれば、ワッシャ５０を介在させることによって、ねじ体側座部２２と第一受部６０の間に第一係合機構Ａを構成し、部材側座部８２と第二受部７０の間に第二係合機構Ｂを構成し、雄ねじ体１０が緩もうとすると、第一係合機構Ａ及び第二係合機構Ｂの双方の規制作用によって、雄ねじ体１０が被締結部材８０と周方向に係合した状態となり、逆回転すること、即ち緩むことが防止される。従って、振動等が生じても、全く緩まない締結状態を得ることが出来る。
【００４７】
更に本実施形態では、第一係合機構Ａとして、ねじ体側凹凸２４と第一受部側凹凸６４が、周方向に複数連続する鋸刃形状と成っており、所謂ラチェット機構又はワンウエイクラッチ機構として作用する。結果、締結動作時は、ねじ体側凹凸２４と第一受部側凹凸６４の相対移動を許容して、円滑な相対回転を実現する一方、緩み動作時は、ねじ体側凹凸２４と第一受部側凹凸６４の相対移動を完全に規制する。結果、締結時の作業性と、その後の緩み止めを合理的に両立出来る。
【００４８】
また本第一実施形態では、第一係合機構Ａとして、ねじ体側座部２２と第一受部６０には、ねじ体側テーパ面２６、ワッシャ側テーパ面６６が形成されるので、両者の当接面積を大きくすることが出来る。また、雄ねじ体１０の軸線方向の締結力が、テーパ面によって半径方向にも作用する。互いのテーパ面を半径方向に押し付けることで、自励的にセンタリング出来る。結果、雄ねじ体１０とワッシャ５０の同芯度が高められ、ねじ体側凹凸２４と第一受部側凹凸６４の係合精度を高めることが出来る。なお、凸側のねじ体側テーパ面２６の傾斜を微小に大きくし、凹側のワッシャ側テーパ面６６の傾斜角を微小に小さくして、角度に微小差を設けておくことも好ましい。このようにすると、締め付け圧力の増大に伴って、中心から半径方向外側に向かって、互いのテーパ面を少しずつ当接させることが出来る。
【００４９】
また更に、本第一実施形態では、第二係合機構Ｂとして、ワッシャ５０の第二受部７０の外壁と、被締結部材８０の収容凹部８４の内壁の形状が、ねじの軸心に対して同心円となることを回避している。換言すると、収容凹部８４の内壁及び第二受部７０の外壁は、ねじの軸心からの距離が周方向に沿って変化する。この形状によって、収容凹部８４の内壁と第二受部７０が嵌り合うと、互いの軸心を合わせたままでは、周方向の相対回転が規制される。特にここでは、偏心した正円形状となっているので、ワッシャ５０や被締結部材８０の形状加工を極めて簡単としつつも、両者の相対回転を防止出来る。
【００５０】
なお、本第一実施形態では、第一係合機構Ａとして、ねじ体側凹凸２４と第一受部側凹凸６４が鋸刃形状の場合を例示したが、本発明はこれに限定されない。例えば図４（Ｂ）に示されるように、互いの凹凸を山形（双方とも傾斜面）にすることも可能である。このようにすると、雄ねじ体２０が緩み方向Ｘに回転する際、互いの傾斜面２４Ｘ，６４Ｘが相対移動しようとするが、この傾斜面に沿って、ねじ体側凹凸２４と第一受部側凹凸６４が離れようとする。この移動距離（離れる角度α）を、雄ねじ体１０のリード角より大きく設定すれば、雄ねじ体１０が緩もうとしても、それ以上にねじ体側凹凸２４と第一受部側凹凸６４が離れようとするので、緩むことが出来なくなる。なお、この図４（Ｂ）では、断面二等辺三角形の凹凸を例示したが、図４（Ｃ）のように、締結回転時に当接する傾斜面２４Ｙ、６４Ｙの傾斜角よりも、緩み回転時に当接する傾斜面２４Ｘ，６４Ｘの傾斜角をなだらかにすることも好ましい。このようにすると、締結回転時に、互いに乗り越えなければならない傾斜面２４Ｙ、６４Ｙの周方向距離Ｐを短くすることができるので、締結後のガタ（隙間）を少なく出来る。
【００５１】
また、図４（Ａ）〜（Ｃ）の応用として、図４（Ｄ）に示されるように、峯と谷を湾曲させた波型の凹凸も好ましい。締結時に滑らかな操作性を得ることができる。更に、本第一実施形態では、半径方向に延びる凹凸を例示したが、図５（Ａ）に示されるように、渦巻き状（スパイラル状）の溝又は山（凹凸）を形成することも好ましい。また図５（Ｂ）のように、直線状に延びる溝又は山（凹凸）であっても、ねじの半径方向に対して周方向位相が変化するように傾斜配置することもできる。また、図５（Ｃ）に示されるように、微細凹凸を、ねじの周方向且つ半径方向の双方（平面状）に複数形成した、いわゆるエンボス形状を採用することも好ましい。
【００５２】
更に本第一実施形態のように、ねじ体側凹凸２４と第一受部側凹凸６４の凹凸形状を必ずしも一致（相似）させる必要はない。例えば、図４及び図５の各種形状から異なるものを互いに選択して組み合わせることも出来る。
【００５３】
本第一実施形態では、ねじ体側テーパ面２６を凸形状、ワッシャ側テーパ面６６を凹形状にする場合を例示したが、本発明はこれに限定されない。例えば図６（Ａ）のように、ねじ体側テーパ面２６を平面形状にしたり、図６（Ｂ）のように凹形状にしたりできる。ワッシャ側テーパ面も同様である。また特に図示しないが、例えばワッシャ５０の弾性変形を有効活用すれば、双方のテーパ面の傾斜角を一致させる必要はない。勿論、雄ねじ体１０又はワッシャ５０の一方のみにテーパ面を形成しても良い。更には、双方のテーパ面を凸形状にしたり、凹形状にしたりすることで、ワッシャの弾性変形を活用して両者を密着させることが出来る。また、ワッシャ５０の弾性を得る為に、ワッシャ５０の基本的な形状を螺旋状として成る所謂スプリングワッシャ状としても好い。
【００５４】
更に、第一実施形態の応用として、図７（Ａ）に示されるように、ワッシャ５０の第二受部７０の外壁及び、部材側台座部８２の収容凹部８４の内壁が、ねじの軸心に対して同心の部分円弧形状Ｓとし、残部を弦Ｇのように直線状に切り落としたような形状とすることも出来る。即ち、この場合においても、収容凹部８４の内壁及び第二受部７０の外壁は、ねじの軸心からの距離が周方向に沿って変動する。従って、弦Ｇの形状によって、収容凹部８４の内壁と第二受部７０が係合し、周方向の相対回転が規制される。
【００５５】
また図７（Ｂ）に示されるように、ワッシャ５０の第二受部７０の外壁が、ねじの軸心に対して同心の部分円弧形状Ｓとし、残部には、半径方向に延びる突起Ｔを形成することが出来る。この際、収容凹部８４の内壁には、半径方向に凹む窪みＫを形成する。この突起Ｔと窪みＫの係合によって、収容凹部８４の内壁と第二受部７０が係合し、周方向の相対回転が規制される。この際、収容凹部８４に形成される窪みＫは、小さな正円形状（部分円弧）とすることが好ましい。収容凹部８４を切削加工のする際に、棒状のドリルの１回の加工だけで、窪みＫを形成出来るからである。なお、特に図示しないが、ワッシャ５０の第二受部７０側に窪み（切欠き）を形成し、収容凹部８４側に半径方向内側に突出する突起を形成することも出来る。
【００５６】
次に、図８を参照して、本発明の第二実施形態に係るねじ体の逆回転防止構造について説明する。この逆回転防止構造では、雄ねじ体１０は第一実施形態と同様であるが、ワッシャ５０及び被締結部材８０の構造が一部異なっているので、異なる部分を中心に説明し、雄ねじ体１０に関する前述と共通部分の説明は省略する。
【００５７】
ワッシャ５０は、図９（Ａ）に示されるように、第一実施形態と比較して肉薄と成っており、被締結部材８０と対向する第二受部７０側にも、ねじ先方向に凸となる第二ワッシャ側テーパ面７６が形成される。
【００５８】
なお、第一実施形態と同様に、ワッシャ５０の第二受部７０の外壁７２及び収容凹部８４の内壁は、偏心した正円形状となっているので、互いに嵌り合うことで、周方向の回転が規制される。
【００５９】
図８に戻って、被締結部材８０の収容凹部８４の底面には、ねじ先側に凹となる部材側テーパ面８６が形成される。結果、ワッシャ５０の第二ワッシャ側テーパ面７６と当接することにより、ワッシャ５０を介して雄ねじ体１０の締結力を受け止める。
【００６０】
更に、収容凹部８４の内壁の一部には引上げ空間８８が形成される。引上げ空間８８は、収容凹部８４の内壁が半径方向外側に拡張し、且つ、凹部の深さを大きくすることで確保される。この引上げ空間８８によって、ワッシャ５０の第二受部７０の外壁の一部に隙間が形成される。
【００６１】
雄ねじ体１０及びワッシャ５０を用いて、被締結部材８０を固定すると、第一係合機構Ａとして、雄ねじ体１０のねじ体側凹凸２４と、ワッシャ５０側の第一受部側凹凸６４が係合する。更に、第二係合機構Ｂとして、ワッシャ５０の第二受部７０の外壁と収容凹部８４の内壁が互いに嵌り合うことで、周方向の回転が規制される。結果、雄ねじ体１０の逆回転が防止されること、即ちが緩まないことになる。
【００６２】
図９（Ｂ）には、雄ねじ体１０を強制的に緩める場合の操作について説明する。例えばマイナスドライバＤの先端を、引上げ空間８８内に挿入することによって、その先端をワッシャ５０の背面側に挿入する。この状態で、マイナスドライバＤの先端を持ち上げることにより、ワッシャ５０の第二受部７０を上方に変形させることが出来る。結果、第二受部７０と収容凹部８４による第二係合機構Ｂが解放される。この状態で、雄ねじ体１０を緩み方向に回転させれば、ワッシャ５０も一緒に回転できるので、雄ねじ体１０を緩めることが出来る。
【００６３】
なお、この第二実施形態では、被締結部材８０の収容凹部８４に引上げ空間８８を形成する場合を例示したが、本発明はこれに限定されない。例えば、図１０（Ａ）に示されるように、ワッシャ５０の外壁に傾斜面７７Ａを形成することで、マイナスドライバＤの先端を、ワッシャ５０の背面側（被締結部材８０側）に挿入できるようにする。また、図１０（Ｂ）に示されるように、ワッシャ５０の周縁に、被締結部材８０から離れるような挿入用凹部７７Ｂを形成する。この挿入用凹部７７Ｂを介して、マイナスドライバＤの先端をワッシャ５０の背面側に挿入出来るようにする。この他、ワッシャ５０の外径と、収容凹部８４の内径との径差を利用して、三日月状の間隙を作出し、この三日月状の間隙（図示省略）を利用してマイナスドライバＤの先端をワッシャ５０の背面側に挿入可能としても好い。
【００６４】
図１１には、第三実施形態のねじの緩み防止構造が示されている。図１１（Ｂ）に示されるように、雄ねじ体１０のねじ体側座部２２は平面形状となっており、そこに鋸刃形状のねじ体側凹凸２４が形成される。また、雄ねじ体１０の軸部３０の根本には、ワッシャ５０を保持するためのくびれ３２が形成される。
【００６５】
図１１（Ａ）の通り、ワッシャ５０の第一受部６０も平面形状となっており、そこに鋸刃形状の第一受部側凹凸６４が形成される。ワッシャ５０の貫通孔５２には、内周側に突出する係合突起５２Ａが形成され、雄ねじ体１０のくびれ３２と係合する。結果、予め、雄ねじ体１０とワッシャ５０を一体化（結合）することが可能となる。
【００６６】
更にワッシャ５０の第二受部７０には、ねじの軸線方向に延びるワッシャ側段部７４が形成される。ここでは、被締結部材８０側に屈曲する爪によって、ワッシャ側段部７４が構成される。
【００６７】
一方、被締結部材８０の部材側座部８２には、ねじの軸線方向に伸びる部材側段部８２Ａを有する。この部材側段部８２Ａは、ねじ先側に落ち込むような段差となる。ワッシャ側段部７４と部材側段部８２Ａのねじの軸心からの距離は、互いに一致している。従って、図１１（Ｃ）に示されるように、雄ねじ体１０を締め付ければ、ワッシャ側段部７４と部材側段部８２Ａを係合し、ワッシャ５０と被締結部材８０の相対回転が防止される。
【００６８】
なお、本第三実施形態では、雄ねじ体１０のくびれ３２とワッシャ５０の係合突起５２Ａによって、予め両者を一体化する場合を例示したが、その手法はこれに限定されない。例えば、少なくとも一方に磁気を持たせることで、雄ねじ体１０とワッシャ５０を磁力で一体化することもできる。その他にも、接着剤、（スポット）溶接、圧入（摩擦力）によって雄ねじ体１０とワッシャ５０を予め一体化することもできる。また、Ｏリング等の補助具を用いて、雄ねじ体１０とワッシャ５０を一体化することも可能である。
【００６９】
なお、ここでは、ワッシャ５０の外周にワッシャ側段部７４が形成される場合を例示したが、本発明はこれに限定されない。例えば図１２に示されるように、ワッシャ５０における外縁よりも内側に、ワッシャ側段部（突起）７４を形成することも出来る。被締結部材８０の収容凹部８４内に、このワッシャ側段部７４を収容する部材側段部（窪み）８２Ａを形成する。結果、ワッシャ側段部（突起）７４と部材側段部（窪み）８２Ａが係合して、相対回転が防止される。
【００７０】
図１３には、本発明の第四実施形態のねじ体の逆回転防止構造が示されている。図１３（Ａ）の通り、ワッシャ５０の外形は、ねじの軸心に対して偏心した円形である。ワッシャ５０は、所謂皿ばねになっており、雄ねじ体１０からの締結力を受けると、軸線方向に弾性変形する。
【００７１】
図１３（Ｂ）に示されるように、ワッシャ５０は、被締結部材８０に形成される偏心円形の収容凹部８２に収容される。雄ねじ体１０のねじ体側座部２２は、中心側にねじ体側凹凸２４が形成され、ワッシャ５０の第一受部側凹凸６４と係合する。また、ねじ体側座部２２におけるねじ体側凹凸２４の外側には、被締結部材８０と直接当接する押圧面２３が形成される。
【００７２】
更に収容凹部８２の底面と、雄ねじ体１０のねじ体側凹凸２４の間の隙間Ｌは、ワッシャ５０の軸方向寸法と比較して多少小さく設定される。結果、雄ねじ体１０を締め付けると、ワッシャ５０は、収容凹部８２の底面とねじ体側凹凸２４に挟み込まれて弾性変形する。しかし、この弾性変形量は、ねじ体側凹凸２４と第一受部側凹凸６４の相対回転を抑止する程度で十分である。なぜなら、雄ねじ体１０の締結力は、押圧面２３を介して直接的に被締結部材８０に伝達されるからである。本実施形態のようにすれば、ワッシャ５０自体の強度、剛性を低くすることが出来るので、製造コストを低減することが出来る。
【００７３】
第一から第四実施形態では、雄ねじ体１０の頭部２０が、被締結部材８０から突出する場合を例示したが、被締結部材８０の収容凹部８４の深さを深くすれば、頭部２０までも、収容凹部８４内に収容することが可能となる。
【００７４】
例えば、図１４に示されるように、ワッシャ５０の第一受部６０を、雄ねじ体１０の頭部２０を収容可能な円筒形状にすることも出来る。即ち、ワッシャ５０の上面に、雄ねじ体１０の頭部２０を収容する収容孔５１を形成する。結果、頭部２０が外部部材と接触し難くなるので、雄ねじ体１０が緩み難い。この際、偏心円となる第二受部７０を、ワッシャ５０の頭部２０側（図１４の上端側）近傍に限定して形成することも可能である。このように、ワッシャ５０に、同心円の周壁７１と、偏心円の第二受部７０の双方を形成し、それぞれを被締結部材８０に係合させることで、周壁７１によって、雌ねじ穴９２との同軸性を確保しつつ、第二係合機構Ｂによって両者の相対回転を防止出来る。
【００７５】
また更に、図１４に示すように、ワッシャ５０の軸方向の途中に、被締結部材８０と基台９０の境界面８９を配置することも好ましい。このようにすると、被締結部材８０と基台９０の間で、境界面８９に沿ったせん断力が作用した場合に、そのせん断力をワッシャ５０の外周面（周壁７１又は外壁７２）で受け止めることが出来る。従って、雄ねじ体１０を太くしなくても、ワッシャ５０の剛性を高めておけば、両者が一体となって、せん断力に対する剛性を高めることが可能となる。また、この際、第一受部６０の第一受部側凹凸６４が形成された環状部と、偏心したフランジ状の外壁７２を有する長尺の円筒状を成すワッシャ５０とを別体として、環状を成す第一受部６０の外周をねじの軸心に対して偏心させ、他方、ワッシャ５０には当該環状部を内挿させ得る偏心嵌合部を設け、当該環状部とワッシャ５０との相対回転を防止するように構成しても好い。
【００７６】
また、第一から第四実施形態では、雄ねじ体１０の頭部とワッシャ５０を係合させる場合を例示したが、雄ねじ体に適用する場合に限られず、この緩み止め機構を、雌ねじ体側に適用することも出来る。例えば、図１５に示されるように、雌ねじ体１８、ワッシャ５０、被締結部材８０の間に、第一係合機構Ａと第二係合機構Ｂを設けることで、雌ねじ体１８の逆回転を防止する事も可能である。
【００７７】
なお、第一から第四実施形態では、ワッシャ５０の外形が、円形又は部分円弧となる場合に限って例示したが、それ以外の形状を採用することができる。例えば、ワッシャ５０の外形としては、楕円形、長円形、多角形等の形状であっても好い。つまり、収容凹部との嵌め合いによって相対回転を防止する場合は、軸心に対してワッシャ５０の外形が「非完全円形（同心の完全円ではない状態）」であれば良いことになる。また、図１３の第四実施形態では、ワッシャ５０が皿ばねとして弾性変形する場合を例示したが、スプリングワッシャのように弾性変形させることも出来る。また更に、金属と弾性変形材料（例えばゴム等）を一体化した複合材料によってワッシャを形成し、弾性変形可能にすることも好ましい。
【００７８】
また、本発明の実施例は、上記実施の形態に限定されるものではなく、本発明の要旨を逸脱しない範囲内において種々変更を加え得ることは勿論である。
【産業上の利用可能性】
【００７９】
本発明によれば、簡便な構造によって、ねじの緩みを確実に防止することが可能となる。
【符号の説明】
【００８０】
１０    雄ねじ体
２０    頭部
２２    ねじ体側座部
２４    ねじ体側凹凸
２３    押圧面
２６    ねじ体側テーパ面
３０    軸部
３０ａ  円筒部
３０ｂ  ねじ部
５０    ワッシャ
５２    貫通孔
５２Ａ  係合突起
６０    第一受部
６４    第一受部側凹凸
６６    ワッシャ側テーパ面
７０    第二受部
７２    外壁
８０    被締結部材
８２    部材側座部
８４    収容凹部
９０    基台
９２    雌ねじ穴
【図１】
2014105862.tif 000003
【図２】
2014105862.tif 000004
【図３】
2014105862.tif 000005
【図４】
2014105862.tif 000006
【図５】
2014105862.tif 000007
【図６】
2014105862.tif 000008
【図７】
2014105862.tif 000009
【図８】
2014105862.tif 000010
【図９】
2014105862.tif 000011
【図１０】
2014105862.tif 000012
【図１１】
2014105862.tif 000013
【図１２】
2014105862.tif 000014
【図１３】
2014105862.tif 000015
【図１４】
2014105862.tif 000016
【図１５】
2014105862.tif 000017